(57)【要約】      （修正有）【課題】メディアドライブの装着完了を誤認させることなく、装着作業を好適に行うことができる。【解決手段】ディスクドライブ１２ａに設けられ、所定の範囲で挿入方向前後にスライド可能なロックピン７３と、ロックピン７３に係合するロック部材５１と、を備え、ロックピン７３は、ディスクドライブ１２ａの挿入に伴って、所定の範囲の後端規制位置にスライドしてロック部材５１と係合すると共に、係合した後に、ディスクドライブ１２ａの挿入方向と逆方向の移動に伴って、係合状態を維持したまま所定の範囲の前端規制位置にスライドする。【選択図】図７
2014086098.tif 000002
【特許請求の範囲】
【請求項１】
メディアドライブを挿入して装着するメディアドライブの装着装置であって、
前記メディアドライブに設けられ、所定の範囲で挿入方向前後にスライド可能な被ロック部材と、
前記被ロック部材に係合するロック部材と、を備え、
前記被ロック部材は、前記メディアドライブの挿入に伴って、前記所定の範囲の後端規制位置にスライドして前記ロック部材と係合すると共に、係合した後に、前記メディアドライブの挿入方向と逆方向の移動に伴って、係合状態を維持したまま前記所定の範囲の前端規制位置にスライドすることを特徴とするメディアドライブの装着装置。
【請求項２】
前記ロック部材は、前記前端規制位置にスライドした前記被ロック部材と係合して、前記メディアドライブを装着基準位置にロックすることを特徴とする請求項１に記載のメディアドライブの装着装置。
【請求項３】
前記被ロック部材は、前記メディアドライブの挿入に伴って、前記所定の範囲の後端規制位置にスライドして、前記メディアドライブのロックの作動位置を前記装着基準位置より挿入方向前方の前方基準位置に移動させることを特徴とする請求項１に記載のメディアドライブの装着装置。
【請求項４】
前記メディアドライブに設けられたドライブ側コネクターを接続する装置側コネクターを、更に備え、
前記前方基準位置は、前記メディアドライブの前記ドライブ側コネクターが、前記装置側コネクターに接続される位置、またはその近傍位置であることを特徴とする請求項３に記載のメディアドライブの装着装置。
【請求項５】
前記メディアドライブを、前記装置側コネクターを介して挿入方向後方側に付勢する付勢手段を、更に備えたことを特徴とする請求項４に記載のメディアドライブの装着装置。
【請求項６】
前記メディアドライブに設けられ、前記被ロック部材を挿入方向前後にスライド自在に支持するスライド支持部材を、更に備えたことを特徴とする請求項１ないし５のいずれか１項に記載のメディアドライブの装着装置。
【請求項７】
前記メディアドライブの一方の側面において、前記メディアドライブの挿入をガイドする挿入ガイドを、更に備え、
前記被ロック部材は、前記メディアドライブの下面に配設され、
前記スライド支持部材は、
前記被ロック部材を支持する部材支持部と、
前記メディアドライブの前記一方の側面に配設され、前記部材支持部をスライド自在に支持するスライドガイド部と、を有していることを特徴とする請求項６に記載のメディアドライブの装着装置。
【請求項８】
前記ロック部材を、前記被ロック部材に当接する当接位置と前記当接位置から退避した退避位置との間で、移動自在に支持するロック支持部材と、
前記ロック部材を、前記当接位置側に付勢するロック付勢手段と、を更に備え、
前記ロック部材は、前記被ロック部材に対し挿入方向前方に当接する傾斜当接面と、当該傾斜当接面に連なり、前記被ロック部材に対し挿入方向後方に当接して前記被ロック部材を係止する係止当接面と、を有することを特徴とする請求項１ないし７のいずれか１項に記載のメディアドライブの装着装置。
【請求項９】
メディアドライブを挿入して装着するメディアドライブの装着装置であって、
前記メディアドライブに設けられた被ロック部材と、
前記被ロック部材に係合し、所定の範囲で挿入方向前後にスライド可能なロック部材と、を備え、
前記ロック部材は、前記メディアドライブの挿入に伴って、前記所定の範囲の前端規制位置にスライドして前記被ロック部材と係合すると共に、係合した後に、前記所定の範囲の後端規制位置にスライドすることを特徴とするメディアドライブの装着装置。
【請求項１０】
請求項１ないし９のいずれか１項に記載のメディアドライブの装着装置と、
書込み前のメディアを収納する供給スタッカーと、
書込み後のメディアを収納する収納スタッカーと、
前記供給スタッカー、前記収納スタッカーおよび、前記装着装置に装着したメディアドライブの間で、メディアを搬送するオートローダーと、を備えたことを特徴とするメディア処理装置。
【発明の詳細な説明】
【技術分野】
【０００１】
本発明は、ＣＤドライブやＤＶＤドライブ等のメディアドライブを装着するメディアドライブの装着装置およびこれを備えたメディア処理装置に関するものである。
【背景技術】
【０００２】
従来、この種のメディア処理装置として、未使用／作成済みのメディア（ＣＤやＤＶＤ等）をスタックする２つのメディアスタッカーと、メディアへのデータの書込み／読出しを行う２つのメディアドライブと、メディアドライブを保持する２つのメディアドライブ用フレームと、メディアのレーベル面への印刷を行うレーベルプリンターと、２つのメディアスタッカー、２つのメディアドライブおよびレーベルプリンターの間で、メディアを搬送するメディア搬送機構と、を備えたパブリッシャーが知られている（特許文献１参照）。この各メディアドライブ用フレームには、メディアドライブを前後方向にスライド可能に支持するスライド支持部と、メディアドライブを後方に付勢するねじりバネと、メディアドライブを前方に押圧しつつ進退させる位置調整部と、メディアドライブ用フレームに対してメディアドライブを固定する固定用ネジ部材と、が設けられている。これにより、メディアドライブの位置決め調整を行うことで、メディアドライブに有したメディアトレイの前進位置のバラツキを抑え、メディアの良好な受け渡しを実現している。
【先行技術文献】
【特許文献】
【０００３】
【特許文献１】特開２００９−１８１６３６号公報
【発明の概要】
【発明が解決しようとする課題】
【０００４】
ところで、この種のメディア処理装置において、メンテナンス性やカスタマイズ性を考慮し、メディアドライブ用フレームに対しメディアドライブを奥行方向に挿入して装着する構成が考えられる。具体的には、メディアドライブ用フレームに、メディアドライブの挿入をガイドする挿入ガイドと、メディアドライブの後端面に設けたドライブ側コネクターに対向配置された装置側コネクターと、メディアドライブを、前面基準の装着基準位置にロック（位置規制）するロック機構と、を設けた構成である。この構成では、ユーザーがメディアドライブを挿入していき、当該メディアドライブが装着基準位置に達すると、コネクター同士が接続されると共に、ロック機構のロックが作動して、メディアドライブが装着基準位置にロックされる。
しかしながら、このような構成では、奥行寸法が異なる複数種のメディアドライブを装着可能とした構成において、奥行寸法が短いメディアドライブを装着する場合に、装着作業に不備が生じてしまうという問題があった。具体的には、例えば、奥行寸法１８０ｍｍのメディアドライブと、奥行寸法１７０ｍｍのメディアドライブとを装着可能とした構成において、１７０ｍｍのメディアドライブを挿入していくと、奥行寸法が足りないので、前面基準の装着基準位置に達しても、コネクター同士が接続されないという事態が生じる。かかる場合、コネクター同士が接続されずにロックが作動してしまう。その結果、ロックの作動によりユーザーが装着完了を誤認してしまい、コネクター同士を接続せずに装着作業を止めてしまうという問題が生じた。これでは、メディアドライブの装着作業を好適に行うことができない。
【０００５】
本発明は、メディアドライブの装着完了を誤認させることなく、装着作業を好適に行うことができるメディアドライブの装着装置およびこれを備えたメディア処理装置を提供することを課題としている。
【課題を解決するための手段】
【０００６】
本発明のメディアドライブの装着装置は、メディアドライブを挿入して装着するメディアドライブの装着装置であって、メディアドライブに設けられ、所定の範囲で挿入方向前後にスライド可能な被ロック部材と、被ロック部材に係合するロック部材と、を備え、被ロック部材は、メディアドライブの挿入に伴って、所定の範囲の後端規制位置にスライドしてロック部材と係合すると共に、係合した後に、メディアドライブの挿入方向と逆方向の移動に伴って、係合状態を維持したまま所定の範囲の前端規制位置にスライドすることを特徴とする。
【０００７】
この場合、ロック部材は、前端規制位置にスライドした被ロック部材と係合して、メディアドライブを装着基準位置にロックすることが好ましい。
【０００８】
また、被ロック部材は、メディアドライブの挿入に伴って、所定の範囲の後端規制位置にスライドして、メディアドライブのロックの作動位置を装着基準位置より挿入方向前方の前方基準位置に移動させることが好ましい。
【０００９】
さらに、メディアドライブに設けられたドライブ側コネクターを接続する装置側コネクターを、更に備え、前方基準位置は、メディアドライブのドライブ側コネクターが、装置側コネクターに接続される位置、またはその近傍位置であることが好ましい。
【００１０】
またさらに、メディアドライブを、装置側コネクターを介して挿入方向後方側に付勢する付勢手段を、更に備えることが好ましい。
【００１１】
これらの構成によれば、メディアドライブの挿入に伴って、被ロック部材が後端規制位置にスライド移動し、後端規制位置に位置した被ロック部材とロック部材とが係合する（メディアドライブのロックが作動する）。一方、係合した後（ロックの作動後）、メディアドライブの挿入方向後方への移動に伴って、被ロック部材が前端規制位置にスライド移動し、前端規制位置に位置した被ロック部材とロック部材との係合により、メディアドライブがロック（位置固定）される。このように、被ロック部材が挿入方向にスライドすることで、メディアドライブのロックが作動する位置を、メディアドライブを実際にロックする位置（装着基準位置）より挿入方向前方に移動させることができる。そのため、メディアドライブの奥行寸法の長短にかかわらず、ロックの作動位置を、コネクター同士の接続位置やその近傍位置に合わせることができる。よって、コネクター同士が接続されずにロックが作動するのを避けることができるので、ユーザーが装着完了を誤認することがない。ゆえに、コネクター同士を接続せずに装着作業を止めてしまうことがなくなるので、装着作業を好適に行うことができる。
【００１２】
一方、メディアドライブに設けられ、被ロック部材を挿入方向前後にスライド自在に支持するスライド支持部材を、更に備えることが好ましい。
【００１３】
この構成によれば、メディアドライブにスライド支持部材を設けるだけで、装着装置側に特段の機構を必要としない。よって、メディアドライブの装着装置を簡単な構成にすることができる。
【００１４】
この場合、メディアドライブの一方の側面において、メディアドライブの挿入をガイドする挿入ガイドを、更に備え、被ロック部材は、メディアドライブの下面に配設され、スライド支持部材は、被ロック部材を支持する部材支持部と、メディアドライブの一方の側面に配設され、部材支持部をスライド自在に支持するスライドガイド部と、を有していることが好ましい。
【００１５】
この構成によれば、挿入ガイドと同じメディアドライブの一方の側面に、スライドガイド部を配設することで、スライドガイド部を好適に配設することができる。すなわち、スライドガイド部が引っかかりとなって、メディアドライブの挿入を邪魔する事態を避けることができる。
【００１６】
一方、ロック部材を、被ロック部材に当接する当接位置と当接位置から退避した退避位置との間で、移動自在に支持するロック支持部材と、ロック部材を、当接位置側に付勢するロック付勢手段と、を更に備え、ロック部材は、被ロック部材に対し挿入方向前方に当接する傾斜当接面と、当該傾斜当接面に連なり、被ロック部材に対し挿入方向後方に当接して被ロック部材を係止する係止当接面と、を有することが好ましい。
【００１７】
この構成によれば、メディアドライブの挿入に伴って、被ロック部材が傾斜当接面に当接し、ロック部材を当接位置から退避位置に移動させる。そして、被ロック部材が傾斜当接面を越えると、ロック付勢手段により、ロック部材を当接位置に戻り、被ロック部材の挿入方向後方が係止当接面に当接する（ロックの作動）。これにより、被ロック部材がロック部材に係止され、ロックされる。このように、ロック部材、ロック支持部材およびロック付勢手段を用いることで、メディアドライブの装着装置を簡単な構成にすることができる。
【００１８】
本発明の他のメディアドライブの装着装置は、メディアドライブを挿入して装着するメディアドライブの装着装置であって、メディアドライブに設けられた被ロック部材と、被ロック部材に係合し、所定の範囲で挿入方向前後にスライド可能なロック部材と、を備え、ロック部材は、メディアドライブの挿入に伴って、所定の範囲の前端規制位置にスライドして被ロック部材と係合すると共に、係合した後に、所定の範囲の後端規制位置にスライドすることを特徴とする。
【００１９】
この構成によれば、メディアドライブの挿入に伴って、ロック部材が前端規制位置にスライド移動し、前端規制位置に位置したロック部材と被ロック部材とが係合する（メディアドライブのロックが作動する）。一方、係合した後（ロックの作動後）、ロック部材が後端規制位置にスライド移動し、後端規制位置に位置したロック部材と被ロック部材との係合により、メディアドライブがロック（位置固定）される。このように、ロック部材が挿入方向にスライドすることで、メディアドライブのロックが作動する位置を、メディアドライブを実際にロックする位置（装着基準位置）より挿入方向前方に移動させることができる。そのため、メディアドライブの奥行寸法の長短にかかわらず、ロックの作動位置を、コネクター同士の接続位置やその近傍位置に合わせることができる。よって、コネクター同士が接続されずにロックが作動するのを避けることができるので、ユーザーが装着完了を誤認することがない。ゆえに、コネクター同士を接続せずに装着作業を止めてしまうことがなくなるので、装着作業を好適に行うことができる。
【００２０】
本発明のメディア処理装置は、上記のメディアドライブの装着装置と、書込み前のメディアを収納する供給スタッカーと、書込み後のメディアを収納する収納スタッカーと、供給スタッカー、収納スタッカーおよび、装着装置に装着したメディアドライブの間で、メディアを搬送するオートローダーと、を備えたことが好ましい。
【００２１】
この構成によれば、装着作業を好適に行うことができるメディアドライブの装着装置を用いることで、メディアの良好な受け渡しを実現することができ、メディアの発行処理を好適に行うことができる。
【図面の簡単な説明】
【００２２】
【図１】本発明の一実施形態に係るパブリッシャーを示した斜視図である。
【図２】ディスクドライブおよびドライブ装着装置を示した斜視図である。
【図３】ドライブ装着装置を示した斜視図である。
【図４】ディスクドライブおよびドライブ装着装置を示した裏面模式図である。
【図５】第１ディスクドライブを示した裏面斜視図である。
【図６】第２ディスクドライブを示した裏面斜視図である。
【図７】第１ディスクドライブの装着動作を示した説明図である。
【図８】第２ディスクドライブの装着動作を示した説明図である。
【図９】第２実施形態におけるディスクドライブおよびドライブ装着装置を示した裏面模式図である。
【図１０】第２実施形態における第１ディスクドライブの装着動作を示した説明図である。
【図１１】第２実施形態における第２ディスクドライブの装着動作を示した説明図である。
【発明を実施するための形態】
【００２３】
以下、添付の図面を参照して、本発明の一実施形態に係るメディアドライブの装着装置およびメディア処理装置について説明する。本実施形態では、本発明のメディアドライブの装着装置を適用したパブリッシャーを例示する。このパブリッシャーは、ＣＤやＤＶＤ等の光ディスク（メディア）に対して書込み処理およびレーベル面の印刷処理を行うメディア処理装置である。また、光ディスクを数十枚単位で処理可能に構成されている。特に、本パブリッシャーは、奥行寸法１８０ｍｍのディスクドライブと奥行寸法１７０ｍｍのディスクドライブとの２種類のディスクドライブを装着可能に構成されており、奥行寸法の長短にかかわらず、ディスクドライブを好適に装着することができるロック構造を備えたものである。
【００２４】
図１に示すように、パブリッシャー１は、処理前の光ディスクＡを数十枚単位で収納する供給スタッカー１１ａと、処理済みの光ディスクＡを数十枚単位で収納する収納スタッカー１１ｂと、光ディスクＡの記録面に対し書込み処理を行う２つのディスクドライブ（メディアドライブ）１２、１２と、２つのディスクドライブ１２、１２を着脱自在に支持するドライブ装着装置（装着装置）１３と、光ディスクＡのレーベル面に対し印刷処理を行うレーベルプリンター１４と、ドライブ装着装置１３に装着した２つのディスクドライブ１２、１２、供給スタッカー１１ａ、収納スタッカー１１ｂおよびレーベルプリンター１４の間で、光ディスクＡを搬送するオートローダー１５と、これら各部を収容する箱型の装置ケース１６と、を備えている。図１では、装置ケース１６の前面に設けられた開閉扉１６ａ、１６ｂを開放した状態のものを図示している。
【００２５】
図２に示すように、ドライブ装着装置１３は、右側板２１ａ、左側板２１ｂおよび天板２１ｃから成る支持フレーム２１と、支持フレーム２１上に配設され、２つのディスクドライブ１２、１２をそれぞれ装着する上下２つのドライブ装着部２２と、を備えている。本ドライブ装着装置１３では、各ドライブ装着部２２に対し、各ディスクドライブ１２を、当該各ディスクドライブ１２の奥行方向に挿入して装着する。
【００２６】
図３に示すように、各ドライブ装着部２２は、右側板２１ａに設けられると共に、ディスクドライブ１２のガイド段部７１（後述する）を支持してディスクドライブ１２の右端部を挿入方向前後にガイドする右ガイド板部３１と、左側板２１ｂに設けられると共に、ディスクドライブ１２の左端部を支持して挿入方向前後にガイドする左ガイド板部３２と、両ガイド板部３１上のディスクドライブ１２を、所定の挿入位置である装着基準位置にロックするロック機構３３と、ディスクドライブ１２の後端部に設けられたドライブ側コネクター６８（後述する）に対向配置された装置側コネクター３４（図４参照）と、を有している。両ガイド板部３１、３２は、相互に高さ違いに配設されている。両ガイド板部３１、３２は、各側板２１ａ、２１ｂの一部を「Ｌ」字状に屈曲させ、挿入方向前後に延在させて形成したものである。
【００２７】
図４に示すように、装置側コネクター３４は、ドライブ側コネクター６８を直接接続するコネクター本体４１と、コネクター本体４１を挿入方向前後にスライド自在に支持するコネクター支持部４２と、コネクター本体４１を、挿入方向後方に押圧する押圧バネ（付勢手段）４３と、を備えている。コネクター支持部４２は、挿入方向前方の所定の位置で、コネクター本体４１の可動範囲を規制している。そして、コネクター本体４１とドライブ側コネクター６８とを接続するときには、コネクター本体４１が当該所定の位置にある状態で、コネクター支持部４２を受けとして、コネクター本体４１に対しドライブ側コネクター６８を押し込んで接続される。
【００２８】
ロック機構３３は、ディスクドライブ１２の右端部に臨んで配設されており、ディスクドライブ１２の挿入に伴ってロックが作動すると共に、ディスクドライブ１２を装着基準位置にロックする機構である。装着基準位置は、挿入方向前後における前面基準の装着位置である。具体的には、図３および図４に示すように、ロック機構３３は、ディスクドライブ１２のロックピン７３（後述する）に係合するロック部材５１と、支持フレーム２１に支持され、ロック部材５１を回動自在に支持する回転支軸（ロック支持部材）５２と、回転支軸５２に巻回され、ロック部材５１を回動付勢するねじりバネ（ロック付勢手段）５３と、ロックを解除するロック解除機構５４と、を備えている。
【００２９】
回転支軸５２は、右側板２１ａの一部を「Ｌ」字状に屈曲した支持板部２１ｄに上下方向に立設されている。また、回転支軸５２は、ロック部材５１を、ロックピン７３に当接する当接位置Ｃ１と、当接位置Ｃ１から退避した退避位置Ｃ２との間で挿入方向に対する垂直方向に回動自在に支持している。一方、ねじりバネ５３は、ロック部材５１を当接位置Ｃ１側に回動付勢している。
【００３０】
ロック部材５１は、当接位置Ｃ１でロックピン７３に対し挿入方向前方に当接する傾斜面である傾斜当接面５６と、傾斜当接面５６に連なり、当接位置Ｃ１でロックピン７３に対し挿入方向後方に当接してこれを係止する係止当接面５７とを有している。
【００３１】
ロック部材５１に対して、ロックピン７３が挿入方向前方に移動していくと、ロックピン７３が傾斜当接面５６に当接しロック部材５１を押圧する。その結果、傾斜当接面５６により、ロックピン７３の押圧力が回動方向に分力され、ねじりバネ５３の回動付勢を抗してロック部材５１が退避位置Ｃ２側に回動する。そして、ロックピン７３が傾斜当接面５６を越えると、ロックピン７３の押圧が解除され、ねじりバネ５３の回動付勢により、ロック部材５１が当接位置Ｃ１に回動する（ロックが作動）。その結果、ロックピン７３の挿入方向後方が係止当接面５７に当接し係止（係合）される。これにより、ロックピン７３を介して、ディスクドライブ１２がロックされ、装着基準位置で位置規制される。
【００３２】
ロック解除機構５４は、ロック解除レバー５４ａを有し、ロック解除レバー５４ａの操作により、ロック部材５１を退避位置Ｃ２に回動させてロックを解除する。具体的には、図外の連動機構により、ロック解除レバー５４ａを手前側への引くことで、これに伴って、ロック部材５１が回動して退避位置Ｃ２に移動する。
【００３３】
ここで図５および図６を参照して、ディスクドライブ１２について説明する。上述したように、各ディスクドライブ１２として、奥行寸法１８０ｍｍのディスクドライブ１２と、奥行寸法１７０ｍｍのディスクドライブ１２との２種類のディスクドライブ１２を選択的に装着することができる。以下の説明では、奥行寸法１８０ｍｍのディスクドライブ１２を第１ディスクドライブ１２ａと呼称し、奥行寸法１７０ｍｍのディスクドライブ１２を第２ディスクドライブ１２ｂと呼称する。
【００３４】
まず図５を参照して、第１ディスクドライブ１２ａについて説明する。第１ディスクドライブ１２ａは、奥行寸法が１８０ｍｍのドライブ本体６１と、ドライブ本体６１の右端部にねじ止めされ、ドライブ本体６１をドライブ装着部２２に装着する装着部材６２と、を備えている。
【００３５】
ドライブ本体６１は、筐体６６と、筐体６６の前面側に迫り出すディスクトレイ６７（図１および図２参照）と、筐体６６の後端部に埋設したドライブ側コネクター６８と、を有している。ディスクドライブ１２が、前面基準の装着基準位置にロック（位置規制）されることで、ディスクトレイ６７の迫出し位置が所定の受渡し位置に位置決めされる。
【００３６】
装着部材６２は、ディスクドライブ１２の右側面に配設されたガイド段部７１と、ディスクドライブ１２の挿入方向後方の突き出し、ドライブ装着部２２からディスクドライブ１２を引き抜くための引抜き部７２と、ディスクドライブ１２の下面に配設され、ロック部材５１に係合するロックピン（被ロック部材）７３と、ロックピン７３を支持するピン支持部（部材支持部）７４と、を有している。ガイド段部７１、引抜き部７２、ロックピン７３およびピン支持部７４は、一体として成形されている。また、ガイド段部７１が右ガイド板部３１に、ドライブ本体６１（筐体６６）の左端部が左ガイド板部３２に支持されることで、ディスクドライブ１２が挿入方向前後にスライド自在に支持されている。なお、ディスクドライブ１２の一方の側面においてディスクドライブ１２の挿入をガイドする挿入ガイドは、右ガイド板部３１およびガイド段部７１により構成されている。
【００３７】
次に図６を参照して、第２ディスクドライブ１２ｂについて説明する。ここでは、第１ディスクドライブ１２ａと異なる部分のみ説明する。第２ディスクドライブ１２ｂは、奥行寸法が１７０ｍｍのドライブ本体６１と、装着部材６２とを備えている。なお、ドライブ本体６１の構成は、奥行寸法が異なることを除き、第１ディスクドライブ１２ａと同様である。
【００３８】
第２ディスクドライブ１２ｂの装着部材６２は、ガイド段部７１、引抜き部７２、ロックピン７３およびピン支持部７４に加え、ディスクドライブ１２の右側面に配設され、ピン支持部７４を挿入方向前後にスライド自在に支持するスライドガイド部７５を有している。ガイド段部７１、引抜き部７２およびスライドガイド部７５は、一体として成形されており、ロックピン７３およびピン支持部７４は、一体として成形されている。
【００３９】
スライドガイド部７５は、前後一対の長孔７８、７８（トラック孔）で有している。そして、スライドガイド部７５は、ピン支持部７４に設けられた前後一対の係合ピン７９、７９を、当該一対の長孔７８、７８に係合させることで、ピン支持部７４を挿入方向前後にスライド自在に支持している。これによって、第２ディスクドライブ１２ｂでは、ドライブ本体６１に対し、ロックピン７３が挿入方向前後にスライド自在に構成されている。スライドガイド部７５により、第２ディスクドライブ１２ｂの挿入に伴って、ロックピン７３をスライド移動させて、ロックの作動位置を、装着基準位置より挿入方向前方の前方基準位置に移動させる。よって、ロックピン７３の可動範囲（所定の範囲）は、装着基準位置から前方基準位置までの長さである。この前方基準位置は、ドライブ側コネクター６８とコネクター本体４１とが接続される位置の近傍位置とする。なお、スライド支持部材は、ピン支持部７４およびスライドガイド部７５により構成されている。
【００４０】
ここで図７および図８を参照して、第１ディスクドライブ１２ａの装着動作および第２ディスクドライブ１２ｂの装着動作について説明する。本各装着動作は、ユーザーが、各ディスクドライブ１２ａ、１２ｂを挿入して、各ディスクドライブ１２ａ、１２ｂを装着するものである。
【００４１】
まず図７を参照して、第１ディスクドライブ１２ａの装着動作について説明する。図７に示すように、第１ディスクドライブ１２ａを挿入していくと、第１ディスクドライブ１２ａのロックピン７３が、ロック部材５１の傾斜当接面５６に当接する（図７（ａ））。さらに、第１ディスクドライブ１２ａの挿入が進むと、ロックピン７３が傾斜当接面５６でロック部材５１を押圧し、ロック部材５１を退避位置Ｃ２に回動させていく（図７（ｂ））。
【００４２】
そして、さらに第１ディスクドライブ１２ａの挿入が進むと、ロックピン７３が傾斜当接面５６を超え、ロック機構３３のロックが作動する（図７（ｃ））。すなわち、ねじりバネ５３の回動付勢により、ロック部材５１が当接位置Ｃ１に回動し、ロック部材５１が係止当接面５７でロックピン７３を係止（係合）する。このとき、ロックの作動感および作動音が生じる。また、このとき、第１ディスクドライブ１２ａの挿入により、コネクター本体４１が上記所定の位置まで押され、ドライブ側コネクター６８と、コネクター本体４１とが接続される。ここで、第１ディスクドライブ１２ａの装着が完了する。これにより、第１ディスクドライブ１２ａは、コネクター本体４１を介して押圧バネ４３により挿入方向後方に付勢されつつ、ロックピン７３により位置規制されるので、第１ディスクドライブ１２ａが装着基準位置に位置決め（位置固定）された状態となる。
【００４３】
次に図８を参照して、第２ディスクドライブ１２ｂの装着動作について説明する。図８に示すように、第２ディスクドライブ１２ｂを挿入していくと、第２ディスクドライブ１２ｂのロックピン７３が、ロック部材５１の傾斜当接面５６に当接する（図８（ａ））。さらに第２ディスクドライブ１２ｂの挿入が進むと、ロックピン７３がロック部材５１に押される。この結果、ロックピン７３がドライブ本体６１に対し挿入方向後方にスライド移動していき、可動範囲の後端規制位置まで移動する（図８（ｂ））。さらに第２ディスクドライブ１２ｂの挿入が進むと、今度は、ロックピン７３が傾斜当接面５６でロック部材５１を押圧し、ロック部材５１を退避位置Ｃ２に回動させていく（図８（ｃ））。
【００４４】
そして、さらに第２ディスクドライブ１２ｂの挿入が進むと、ロックピン７３が傾斜当接面５６を超え、ロック機構３３のロックが作動する（図８（ｄ））。すなわち、ねじりバネ５３の回動付勢により、ロック部材５１が当接位置Ｃ１に回動し、ロック部材５１が係止当接面５７でロックピン７３を係合する。このとき、ロックの作動感および作動音が生じる。また、このとき、第１ディスクドライブ１２ａの挿入により、コネクター本体４１が上記所定の位置まで押され、ドライブ側コネクター６８と、コネクター本体４１とが接続される。
【００４５】
その後、押圧バネ４３の付勢力により、コネクター本体４１を介して、第２ディスクドライブ１２ｂが、挿入方向後方（挿入方向の逆方向）に移動する。このとき、第２ディスクドライブ１２ｂの移動に伴ってロックピン７３が、ロック部材５１に押される。この結果、ロック部材５１と係合した状態でロックピン７３がドライブ本体６１に対し挿入方向前方にスライド移動していく。そして、ロックピン７３が、可動範囲の前端規制位置まで移動したところで、第２ディスクドライブ１２ｂが装着基準位置に達する（図８（ｅ））。ここで、第２ディスクドライブ１２ｂの装着が完了する。これにより、第２ディスクドライブ１２ｂは、コネクター本体４１を介して押圧バネ４３により挿入方向後方に付勢されつつ、ロックピン７３により位置規制されるので、第２ディスクドライブ１２ｂが装着基準位置に位置決め（位置固定）された状態となる。
【００４６】
次に図９ないし図１１を参照して、第２実施形態のパブリッシャー１について、第１実施形態と異なる部分のみ説明する。第２実施形態のパブリッシャー１では、ロックピン７３側ではなく、ロック機構３３側が挿入方向前後にスライド移動して、ロックの作動位置を移動させる構成である。
【００４７】
図９に示すように、本パブリッシャー１のドライブ装着部２２は、右ガイド板部３１、左ガイド板部３２、ロック機構３３およびロック解除機構３４に加え、ロック機構３３を挿入方向前後にスライド自在に支持するスライド部８１と、ロック機構３３を挿入方向後方に付勢する付勢部８２と、を備えている。スライド部８１により、第２ディスクドライブ１２ｂの挿入に伴って、ロック部材５１をスライド移動させて、ロックの作動位置を、装着基準位置より挿入方向前方の前方基準位置に移動させる。よって、ロック部材５１の可動範囲（所定の範囲）は、装着基準位置から前方基準位置までの長さである。
【００４８】
また、ロック機構３３は、回転支軸５２およびねじりバネ５３に代えて、ロック部材５１を、当接位置Ｃ１と退避位置Ｃ２との間で挿入方向に対する垂直方向にスライド自在に支持する垂直スライド部（ロック支持部材）８３と、ロック部材５１を当接位置Ｃ１側に付勢する付勢バネ（ロック付勢手段）８４とを備えている。すなわち、ロック部材５１に対して、ロックピン７３が挿入方向前方に移動していくと、ロックピン７３が傾斜当接面５６に当接しロック部材５１を押圧する。その結果、傾斜当接面５６により、ロックピン７３の押圧力がスライド方向（挿入方向に対し垂直な方向）に分力され、付勢バネ８４の付勢を抗してロック部材５１が退避位置Ｃ２側にスライド移動する。そして、ロックピン７３が傾斜当接面５６を越えると、ロックピン７３の押圧が解除され、付勢バネ８４の付勢により、ロック部材５１が当接位置Ｃ１にスライド移動する（ロックが作動）。その結果、ロックピン７３の挿入方向後方が係止当接面５７に当接し係止（係合）される。これにより、ロックピン７３を介して、ディスクドライブ１２がロックされ、装着基準位置で位置規制される。
【００４９】
一方、第１ディスクドライブ１２ａおよび第２ディスクドライブ１２ｂのロックピン７３は、第１実施形態の第１ディスクドライブ１２ａと同様、ドライブ本体６１に対し固定的に設けられている。すなわち、第１ディスクドライブ１２ａおよび第２ディスクドライブ１２ｂの装着部材６２は、ガイド段部７１、引抜き部７２、ロックピン７３およびピン支持部７４を有している。ただし、第１ディスクドライブ１２ａのロックピン７３は、挿入方向前後に延在して形成されている。なお、この延在長さは、装着基準位置から前方基準位置までの距離に合わせて設定されている。
【００５０】
ここで図１０および図１１を参照して、第２実施形態における第１ディスクドライブ１２ａおよび第２ディスクドライブ１２ｂの装着動作について説明する。まず図１０を参照して、第１ディスクドライブ１２ａの装着動作について説明する。図１０に示すように、第１ディスクドライブ１２ａを挿入していくと、第１ディスクドライブ１２ａのロックピン７３が、ロック部材５１の傾斜当接面５６に当接する（図１０（ａ））。さらに、第１ディスクドライブ１２ａの挿入が進むと、ロックピン７３が傾斜当接面５６でロック部材５１を押圧する。その結果、ロック部材５１が挿入方向前方にスライド移動していき、可動範囲の前端基準位置まで移動する（図１０（ｂ））。さらに第１ディスクドライブ１２ａの挿入が進むと、今度は、ロックピン７３の押圧により、ロック部材５１が退避位置Ｃ２にスライド移動していく（図１０（ｃ））。
【００５１】
そして、さらに第１ディスクドライブ１２ａの挿入が進むと、ロックピン７３が傾斜当接面５６を超え、ロック機構３３のロックが作動する（図１０（ｄ））。すなわち、付勢部８２の付勢により、ロック部材５１がロックピン７３の側面を摺動していき、ロックピン７３の後端を超えた時点で、ロック部材５１が付勢バネ８４の付勢により、当接位置Ｃ１にスライド移動し、ロック部材５１が係止当接面５７でロックピン７３を係止（係合）する。このとき、ロックの作動感および作動音が生じる。また、このとき、第１ディスクドライブ１２ａの挿入により、コネクター本体４１が上記所定の位置まで押され、ドライブ側コネクター６８と、コネクター本体４１とが接続される。ここで、第１ディスクドライブ１２ａの装着が完了する。
【００５２】
次に図１１を参照して、第２ディスクドライブ１２ｂの装着動作について説明する。図１１に示すように、第２ディスクドライブ１２ｂを挿入していくと、第２ディスクドライブ１２ｂのロックピン７３が、ロック部材５１の傾斜当接面５６に当接する（図１１（ａ））。さらに、第２ディスクドライブ１２ｂの挿入が進むと、ロックピン７３が傾斜当接面５６でロック部材５１を押圧する。その結果、ロック部材５１が挿入方向前方にスライド移動していき、可動範囲の前端基準位置まで移動する（図１１（ｂ））。さらに第２ディスクドライブ１２ｂの挿入が進むと、今度は、ロックピン７３の押圧により、ロック部材５１が退避位置Ｃ２にスライド移動していく（図１１（ｃ））。
【００５３】
そして、さらに第２ディスクドライブ１２ｂの挿入が進むと、ロックピン７３が傾斜当接面５６を超え、ロック機構３３のロックが作動する（図１１（ｄ））。すなわち、ロック部材５１が付勢バネ８４の付勢により、当接位置Ｃ１にスライド移動し、ロック部材５１が係止当接面５７でロックピン７３を係合する。このとき、ロックの作動感および作動音が生じる。また、このとき、第２ディスクドライブ１２ｂの挿入により、コネクター本体４１が上記所定の位置まで押され、ドライブ側コネクター６８と、コネクター本体４１とが接続される。さらに、付勢部８２の付勢により、ロック部材５１が挿入方向後方にスライド移動し、可動範囲の後端規制位置まで移動する。
【００５４】
その後、押圧バネ４３の付勢力により、コネクター本体４１を介して、第２ディスクドライブ１２ｂが、挿入方向後方に移動する（図１１（ｅ））。そして、第２ディスクドライブ１２ｂが装着基準位置に達したところで、ロックピン７３が係止当接部５７に当接し係止される。ここで、第２ディスクドライブ１２ｂの装着が完了する。
【００５５】
以上、各実施形態によれば、ピン支持部７４およびスライドガイド部７５、またはスライド部８１により、ディスクドライブ１２（第２ディスクドライブ１２ｂ）の挿入に伴って、ロックの作動位置を、装着基準位置より挿入方向前方に移動することができる。そのため、ディスクドライブ１２の奥行寸法の長短にかかわらず（最長の奥行寸法を有するディスクドライブ１２以外のディスクドライブ１２であっても）、ロックの作動位置を、コネクター同士の接続位置やその近傍位置に合わせることができる。よって、コネクター同士が接続されずにロックが作動するのを避けることができるので、ユーザーが装着完了を誤認することがない。ゆえに、コネクター同士を接続せずに装着作業を止めてしまうことがなくなるので、装着作業を好適に行うことができる。
【００５６】
また、右ガイド板部３１およびガイド段部７１と同じディスクドライブ１２の右側面に、スライドガイド部７５を配設することで、スライドガイド部７５を好適に配設することができる。すなわち、スライドガイド部７５が引っかかりとなって、ディスクドライブ１２の挿入を邪魔する事態を避けることができる。
【００５７】
また、第１実施形態において、ピン支持部７４およびスライドガイド部７５によりロックピン７３をスライド移動させる構成とすることで、ドライブ装着装置１３側に特段の機構を必要としない。よって、簡単な構成にすることができる。
【００５８】
なお、本各実施形態においては、前方基準位置を、コネクター同士が接続される位置の近傍位置としたが、前方基準位置を、コネクター同士が接続する位置そのものとしても良い。
【００５９】
また、本実施形態においては、パブリッシャー１に本発明を適用したが、光ディスクＡに対する処理（読出し処理、書込み処理およびレーベルの印刷処理等）が可能な装置であれば、例えば、パソコンやＡＶ機器に本発明を適用しても良い。
【００６０】
さらに、本実施形態においては、光ディスクＡのディスクドライブ１２を用いる装置に本発明を適用したが、メディアドライブを用いる装置であれば、例えば、フラッシュメモリーや磁気ディスクのメディアドライブを用いる装置に本発明を適用しても良い。
【符号の説明】
【００６１】
１：パブリッシャー、  １１ａ：供給スタッカー、  １１ｂ：収納スタッカー、  １２：ディスクドライブ、  １３：ドライブ装着装置、  １５：オートローダー、  ３１：右ガイド板部、  ３４：装着側コネクター、  ４３：押圧バネ、  ５１：ロック部材、  ５２：回転支軸、  ５３：ねじりバネ、  ５６：傾斜当接面、  ５７：係止当接面、  ６８：ドライブ側コネクター、  ７１：ガイド段部、  ７３：ロックピン、  ７４：ピン支持部、  ７５：スライドガイド部、  ８１：スライド部、  ８３：垂直スライド部、  ８４：付勢バネ、  Ａ：光ディスク、  Ｃ１：当接位置、  Ｃ２：退避位置
【図１】
2014086098.tif 000003
【図２】
2014086098.tif 000004
【図３】
2014086098.tif 000005
【図４】
2014086098.tif 000006
【図５】
2014086098.tif 000007
【図６】
2014086098.tif 000008
【図７】
2014086098.tif 000009
【図８】
2014086098.tif 000010
【図９】
2014086098.tif 000011
【図１０】
2014086098.tif 000012
【図１１】
2014086098.tif 000013